(57)【要約】【課題】ディスク３０の取り出しが容易なディスクプレーヤを提供する。【解決手段】本発明に係るディスクプレーヤは、水平のターンテーブルを具えたターンテーブル台３２と、ターンテーブル台３２を昇降移動させるためのテーブル昇降機構と、ターンテーブル上のディスク３０を覆うための大小２種類の弦形状を有する一対のドーム半体８１、８２と、一対のドーム半体８１、８２を開閉するためのドーム開閉機構と、前記テーブル昇降機構とドーム開閉機構を駆動する原動機構とを具えている。【選択図】　　　図２
2004094985.tif 000002
【特許請求の範囲】
【請求項１】
ディスクが設置されるべき水平のターンテーブル（３）を具えたターンテーブル台（３２）と、ターンテーブル台（３２）を昇降移動させるためのテーブル昇降機構と、ターンテーブル（３）上のディスクを覆うための円盤状のドーム（８）と、該ドーム（８）を開閉するためのドーム開閉機構と、前記テーブル昇降機構とドーム開閉機構を駆動する原動機構とを具え、前記ドーム（８）は、円を中心からずれた位置で２分割してなる大小２種類の弦形状を有する一対のドーム半体（８１）（８２）から構成され、該ドーム半体（８１）（８２）はそれぞれ、前記弦形状を形成する円弧線の中央部の近傍位置で枢支され、前記ドーム開閉機構の駆動によって両ドーム半体（８１）（８２）が互いに接近離間する方向に回動することを特徴とするディスクプレーヤ。
【請求項２】
前記原動機構の駆動によって、一対のドーム半体（８１）（８２）を開く動作の少なくとも後半から、ターンテーブル台（３２）を上昇させ、ターンテーブル台（３２）を下降させる動作の少なくとも後半から一対のドーム半体（８１）（８２）を閉じる請求項１に記載のディスクプレーヤ。
【請求項３】
一対のドーム半体（８１）（８２）の内、外形の小さい方のドーム半体（８２）は、完全に開いた状態でターンテーブル台（３２）上のディスクと略同じ高さ位置若しくは該ディスクよりも低い位置に待避する請求項１又は請求項２に記載のディスクプレーヤ。
【請求項４】
前記原動機構は、ローディングモータによって回転駆動される原動回転体を具え、該原動回転体に形成された第１カム溝と前記テーブル昇降機構に設けられた第１カムフォロワーとを互いに係合せしめることによって、第１カム機構を構成すると共に、該原動回転体に形成された第２カム溝と前記ドーム開閉機構に設けられた第２カムフォロワーとを互いに係合せしめることによって、第２カム機構を構成し、第１カム機構のカム曲線と第２カム機構のカム曲線の位相を互いにずらすことにより、テーブル昇降機構の動作とドーム開閉機構の動作のタイミングが調整されている請求項１乃至請求項３の何れかに記載のディスクプレーヤ。
【発明の詳細な説明】
【０００１】
【発明の属する技術分野】
本発明は、ディスクから信号を再生するディスクプレーヤに関し、特に、ディスクを覆うドームが開閉すると同時に、ディスクを支持するターンテーブルが昇降するディスクプレーヤに関するものである。
【０００２】
【従来の技術】
従来、ディスクプレーヤにおいては、ディスクを支持するターンテーブルが一定の高さ位置に配備され、該ターンテーブル上のディスクを覆う円板状の蓋が、その端部を支点として上下方向に開閉可能に配備され、蓋を開くことによって、ターンテーブル上にディスクを載置したり、ターンテーブル上のディスクを取り出したりすることが可能となっている。
又、他のディスクプレーヤにおいては、ディスクトレイがプレーヤ本体のケーシングに出没可能に配備され、ディスクトレイをディスク排出位置まで突出させた状態で、該ディスクトレイ上にディスクを載置し、該ディスクトレイをディスク収納位置まで後退させることにより、ディスクトレイ上のディスクをターンテーブル上の所定位置まで送り込むことが可能となっている。
【０００３】
前者の方式のディスクプレーヤにおいては、プレーヤ本体の上方に蓋を開くためのスペースを設ける必要があるのに対し、後者の方式のディスクプレーヤにおいては、プレーヤ本体の前方にディスクトレイを突出させるためのスペースを設ける必要があり、ディスクプレーヤの使用目的等に応じて適切な方式が選択されている。
【０００４】
【発明が解決しようとする課題】
ところで、ターンテーブルが一定の高さ位置に配備されると共に、該ターンテーブル上のディスクを覆う蓋が上下方向に開閉可能に配備されたディスクプレーヤにおいては、ターンテーブル上のディスクを取り出す際、ターンテーブルは、プレーヤ本体のケーシング上面よりも下方に配備されているため、蓋を水平姿勢から略垂直姿勢まで大きく開いたとしても、ターンテーブル上からディスクを取り出す作業が容易でない問題がある。又、蓋を大きく開閉させるために、ケーシングの上方に大きなスペースが必要となる問題がある。
【０００５】
そこで本発明の目的は、ターンテーブル上のディスクを覆う蓋が開閉可能に配備されたディスクプレーヤにおいて、ディスクの取り出しが容易であり、然も蓋を開くために大きなスペースが不要な、新規な構造のディスクプレーヤを提供することである。
【０００６】
【課題を解決する為の手段】
本発明に係るディスクプレーヤは、ディスクが設置されるべき水平のターンテーブル（３）を具えたターンテーブル台（３２）と、ターンテーブル台（３２）を昇降移動させるためのテーブル昇降機構と、ターンテーブル（３）上のディスクを覆うための円盤状のドーム（８）と、該ドーム（８）を開閉するためのドーム開閉機構と、前記テーブル昇降機構とドーム開閉機構を駆動する原動機構とを具え、前記ドーム（８）は、円を中心からずれた位置で２分割してなる大小２種類の弦形状を有する一対のドーム半体（８１）（８２）から構成され、該ドーム半体（８１）（８２）はそれぞれ、前記弦形状を形成する円弧線の中央部の近傍位置で枢支され、前記ドーム開閉機構の駆動によって両ドーム半体（８１）（８２）が互いに接近離間する方向に回動する。
【０００７】
具体的には、前記原動機構の駆動によって、一対のドーム半体（８１）（８２）を開く動作の少なくとも後半から、ターンテーブル台（３２）を上昇させ、ターンテーブル台（３２）を下降させる動作の少なくとも後半から一対のドーム半体（８１）（８２）を閉じる。
又、一対のドーム半体（８１）（８２）の内、外形の小さい方のドーム半体（８２）は、完全に開いた状態でターンテーブル台（３２）上のディスクと略同じ高さ位置若しくは該ディスクよりも低い位置に待避する
【０００８】
上記本発明のディスクプレーヤにおいては、ターンテーブル台（３２）が下降端に位置する状態で、ドーム（８）は閉じて、ターンテーブル（３）を覆う蓋を構成している。又、ターンテーブル台（３２）上のディスク（３０）は、光ピックアップによって信号再生が可能となっている。この状態から、ディスクの取り出しのために原動機構が動作すると、先ずドーム開閉機構の駆動が開始され、その後、テーブル昇降機構の駆動が開始される。
【０００９】
ドーム開閉機構が駆動されることによって、ドーム（８）を構成する一対のドーム半体（８１）（８２）が互いに離間する方向に開き始める。その後、テーブル昇降機構が駆動されることによって、ターンテーブル台（３２）が上昇を開始する。一対のドーム半体（８１）（８２）が離間することによって、ターンテーブル台（３２）の上方に広い空間が形成され、該空間へターンテーブル台（３２）が侵入し、最終的に一対のドーム半体（８１）（８２）が完全に開いた状態で、ターンテーブル台（３２）は上昇端に達して停止する。
【００１０】
この状態で、ターンテーブル台（３２）上のディスク（３０）を取り出し、或いはターンテーブル台（３２）上にディスク（３０）を載置することが出来る。この際、ターンテーブル台（３２）は、プレーヤ本体のケーシング上面よりも上方に持ち上げられており、然も、一対のドーム半体（８１）（８２）は互いに離間する方向に大きく開いており、然も、外形の小さい一方のドーム半体（８１）は、開き状態でターンテーブル台（３２）上のディスク（３０）と略同じ高さ位置、或いはディスク（３０）よりも低い位置に待避しているので、ディスク（３０）を取り出す作業は容易である。
又、ドーム（８）は半割れ構造を有して、一対のドーム半体（８１）（８２）が互いに接近離間する方向に回動するので、一体構造のドームを回動させる方式に比べて、ドーム開閉のためのスペースは小さくて済む。
【００１１】
具体的構成において、前記原動機構は、ローディングモータによって回転駆動される原動回転体を具え、該原動回転体に形成された第１カム溝と前記テーブル昇降機構に設けられた第１カムフォロワーとを互いに係合せしめることによって、第１カム機構を構成すると共に、該原動回転体に形成された第２カム溝と前記ドーム開閉機構に設けられた第２カムフォロワーとを互いに係合せしめることによって、第２カム機構を構成し、第１カム機構のカム曲線と第２カム機構のカム曲線の位相を互いにずらすことにより、テーブル昇降機構の動作とドーム開閉機構の動作のタイミングが調整されている。
【００１２】
これによって、部品点数の少ない簡易な構成で、一対のドーム半体（８１）（８２）の開閉動作とターンテーブル（３）の昇降動作を実現することが出来ると共に、一対のドーム半体（８１）（８２）とターンテーブル（３）の干渉を確実に回避することが出来る。
【００１３】
【発明の効果】
本発明に係るディスクプレーヤによれば、ディスクの取り出しが容易であり、然も蓋となるドームの開閉に大きなスペースは不要である。
【００１４】
【発明の実施の形態】
以下、本発明の実施の形態につき、図面に沿って具体的に説明する。先ず、図３〜図１７に基づいて、本発明の前提となったディスクプレーヤの構成について説明した後、図１及び図２に基づいて本発明のディスクプレーヤの構成について説明する。
【００１５】
全体構成
本発明の前提となったディスクプレーヤは、図３〜図６に示す如く、メインシャーシ（１）上に、ターンテーブル台（３２）が昇降可能に配備されており、該ターンテーブル台（３２）には、図９に示す如く、ディスク（３０）を支持すべきターンテーブル（３）、該ターンテーブル（３）を回転駆動するディスクモータ（３１）、ディスク（３０）から信号を再生する光ピックアップ（３５）等が配備されている。
【００１６】
又、図３〜図６に示す如く、メインシャーシ（１）上には、ディスク（３０）を覆う蓋となるドーム（８）を構成する一対のドーム半体（８１）（８２）が、両端部を枢支されて、互いに接近離間する方向に回動可能に配備されており、ターンテーブル（３）上のディスク（３０）を覆う蓋を構成している。
尚、一対のドーム半体（８１）（８２）の回動軸は、一対のドーム半体（８１）（８２）の両端部の稍下方位置に設けられている。
【００１７】
図３及び図５の如く、ターンテーブル台（３２）が下降端に設置されると共に、一対のドーム半体（８１）（８２）が閉じた状態で、ターンテーブル（３）がディスクモータ（３１）によって回転駆動され、これによってディスク（３０）が回転している状態で、前記光ピックアップ（３５）がディスク（３０）の半径方向に移動して、信号が再生される。
又、図４及び図６の如く、ターンテーブル台（３２）が上昇端に設置されると共に、一対のドーム半体（８１）（８２）が開いた状態で、ターンテーブル（３）上のディスク（３０）を取り出し、或いはターンテーブル（３）上にディスク（３０）を載置することが出来る。
【００１８】
メインシャーシ（１）の裏面側にはサブシャーシ（２）が配備され、両シャーシ（１）（２）に跨って、一対のドーム半体（８１）（８２）を開閉するためのドーム開閉機構が配備されている。又、メインシャーシ（１）上には、ターンテーブル台（３２）を昇降移動させるためのテーブル昇降機構が配備されている。更に、サブシャーシ（２）上には、ドーム開閉機構及びテーブル昇降機構を駆動するための原動機構が配備されている。
【００１９】
テーブル昇降機構
図９に示す如く、メインシャーシ（１）上には第１スライド（６）が前後方向に摺動可能に配備され、メインシャーシ（１）に上向きに突設した４つのＴ字片（１５）（１６）（１７）（１８）が、第１スライド（６）の底面に開設した４本の水平案内溝（６３）（６４）（６５）（６６）に係合して、第１スライド（６）の摺動が案内されている。又、第１スライド（６）には、その両側面にそれぞれ２本の傾斜案内溝（６１）（６２）が開設されている。
メインシャーシ（１）には、第１スライド（６）を挟み込む左右一対の垂直壁（１９）（１９）が立設されており、各垂直壁（１９）には、垂直方向に伸びる前後一対の垂直案内溝（１１）（１２）が開設されている。
一方、ターンテーブル台（３２）には、左右の両側面に、前後一対の被駆動ピン（３３）（３４）が外向きに突設されており、該被駆動ピン（３３）（３４）が、第１スライド（６）の傾斜案内溝（６１）（６２）を貫通して、メインシャーシ（１）の垂直案内溝（１１）（１２）に嵌合している。
【００２０】
従って、第１スライド（６）を前後方向に駆動すると、第１スライド（６）の傾斜案内溝（６１）（６２）のカム作用とメインシャーシ（１）の垂直案内溝（１１）（１２）の案内作用によって、ターンテーブル台（３２）の被駆動ピン（３３）（３４）が上下方向に駆動されて、ターンテーブル台（３２）が昇降移動することになる。
【００２１】
ドーム開閉機構
図９に示す如く、左側のドーム半体（８１）には、前後方向に伸びる水平の回動軸上に一対の軸受け片（８５）（８５）が外向きに突設され、メインシャーシ（１）上には、該軸受け片（８５）（８５）に嵌合する一対の軸片（１３）（１３）が内向きに突設されている。同様に、右側のドーム半体（８２）には、前後方向に伸びる水平の回動軸上に一対の軸受け片（８６）（８６）が外向きに突設され、メインシャーシ（１）上には、該軸受け片（８６）（８６）に嵌合する一対の軸片（１４）（１４）が内向きに突設されている。
この様にして、一対のドーム半体（８１）（８２）は、軸片（１３）（１４）を中心に回動可能に支持されている。
【００２２】
又、各ドーム半体（８１）（８２）の一方の軸受け片（８５）（８６）の近傍位置には、図８に示す如く、開閉レバー（８３）（８４）が突設され、該開閉レバー（８３）（８４）の先端部には、被駆動軸（８７）（８８）が後方に向かって水平に突設されている。
一方、サブシャーシ（２）上には、図１０に示す如く、左右一対の第２スライド（５）（５）が互いに接近離間する方向へ摺動可能に配備され、それぞれメインシャーシ（１）上に突設したガイド片（２２）（２３）によって摺動が案内されている。各第２スライド（５）上には、コイルスプリング（７０）からなるスプリングレバー（７）が設置されて、両アーム（７１）（７２）を上方へ向けて突出している。
【００２３】
尚、スプリングレバー（７）は、図１６に示す如く、自由状態で両アーム（７１）（７２）がＶ字状に開いており、組立時には、図１７に示す如く、両アーム（７１）（７２）を弾性に抗して交叉させ、この状態で、両アーム（７１）（７２）間に、開閉レバー（８４）の被駆動軸（８８）を挟み込む。これによって、開閉レバー（８４）の被駆動軸（８８）は、スプリングレバー（７）の両アーム（７１）（７２）によって常に挟持されることになる。
【００２４】
従って、図１３及び図１４に示す如く、第２スライド（５）を左右に駆動して、スプリングレバー（７）を左右に移動させることによって、開閉レバー（８４）の被駆動軸（８８）がスプリングレバー（７）によって駆動され、ドーム半体（８２）は、軸受け片（８６）を中心に回転することになる。
【００２５】
原動機構
図１０に示す如く、サブシャーシ（２）の中央部には支軸（２１）が立設されており、該支軸（２１）によって、カムギア（４）が回転可能に支持されている。該カムギア（４）の表面には、第１カム溝（４２）が凹設されている。
一方、第１スライド（６）の裏面には、図９に示す如く第１カムフォロワー（６０）が下向きに突設され、該第１カムフォロワー（６０）は、メインシャーシ（１）の長孔（１０）を貫通して、その先端部が図１０に示すカムギア（４）の第１カム溝（４２）に嵌合している。
従って、カムギア（４）が回転すると、カムギア（４）の第１カム溝（４２）によって第１スライド（６）の第１カムフォロワー（６０）が駆動され、第１スライド（６）が前後に移動することになる。この結果、前述の如くターンテーブル台（３２）が昇降駆動されるのである。
【００２６】
又、カムギア（４）の裏面には、図１１に示す如く、一対の第２カム溝（４３）（４３）が凹設されている。
一方、図１０の如く、一対の第２スライド（５）（５）上にはそれぞれ、第２カムフォロワー（５１）が上向きに突設されており、該第２カムフォロワー（５１）の先端部が図９に示すカムギア（４）の第２カム溝（４３）に嵌合している。
従って、カムギア（４）が回転すると、カムギア（４）の第２カム溝（４３）（４３）によって第２スライド（５）（５）の第２カムフォロワー（５１）（５１）が駆動され、図１１及び図１２に示す如く、一対の第２スライド（５）（５）が互いに接近離間する方向に移動することになる。この結果、前述の如く一対のドーム半体（８１）（８２）が開閉駆動されるのである。
【００２７】
図９に示す如くメインシャーシ（１）上には、ローディングモータ（４１）が設置され、該ローディングモータ（４１）の出力軸には、図５に示す如く原動プーリ（４６）が取り付けられ、該原動プーリ（４６）はベルト（４４）を介してサブシャーシ（２）上の従動プーリ（４５）に連結されている。該従動プーリ（４５）には、ギア部（４７）が形成されており、該ギア部（４７）がカムギア（４）に噛合している。
従って、ローディングモータ（４１）が正逆に回転することによって、該回転がカムギア（４）に伝わって、図５及び図６に示す如く、一対のドーム半体（８１）（８２）の開閉駆動とターンテーブル台（３２）の昇降駆動が行なわれることになる。
【００２８】
第１カム機構及び第２カム機構
斯くして、カムギア（４）の第１カム溝（４２）とターンテーブル台（３２）の第１カムフォロワー（６０）によって、第１カム機構が構成されると共に、カムギア（４）の第２カム溝（４３）（４３）と第２スライド（５）（５）の第２カムフォロワー（５１）（５１）によって、第２カム機構が構成され、第１カム機構のカム曲線と第２カム機構のカム曲線の位相を互いにずらすことにより、ターンテーブル台（３２）の昇降とドーム（８）の開閉のタイミングが調整されている。
【００２９】
即ち、図３及び図５に示す如くターンテーブル台（３２）が下降端に設置されると共に、ドーム（８）が閉じられた状態から、ローディングモータ（４１）が起動すると、先ず、一対のドーム半体（８１）（８２）の開き動作が開始され、一対のドーム半体（８１）（８２）が半開きとなった状態から、ターンテーブル台（３２）の上昇動作が開始される。そして、一対のドーム半体（８１）（８２）が全開となるまでの過程で、ターンテーブル台（３２）が更に上昇し、最終的に図４及び図６に示す如くターンテーブル台（３２）が上昇端に達するのである。
【００３０】
逆に、図４及び図６に示す如く一対のドーム半体（８１）（８２）が全開となり、ターンテーブル台（３２）が上昇端に設置された状態から、ローディングモータ（４１）が逆転すると、先ず、ターンテーブル台（３２）の下降動作が開始され、ターンテーブル台（３２）が途中まで下降した時点で、ドーム半体（８１）（８２）の閉じ動作が開始され、最終的に、ターンテーブル台（３２）が下降端に達するまでの過程で、一対のドーム半体（８１）（８２）が更に閉じ、最終的に図３及び図５に示す如く一対のドーム半体（８１）（８２）が全閉となるのである。
【００３１】
尚、図３及び図４に示す如く、メインシャーシ（１）上には、一対のドーム閉検出スイッチ（９）（９１）が配備されており、これによって一対のドーム半体（８１）（８２）の閉じ状態が検出される。又、図１１及び図１２に示す如く、カムギア（４）には、その回転角度に応じてオン／オフするモードスイッチ（９２）（９３）が配備されており、これによって、ターンテーブル台（３２）の昇降とドーム半体（８１）（８２）の開閉のモード遷移が検知される。
【００３２】
上記本発明のディスクプレーヤにおいては、図５及び図６に示す如く、ドーム（８）が閉じた状態でのターンテーブル（３）の高さ位置よりも、ドーム（８）が開いた状態でのターンテーブル（３）の高さ位置を高く設定しているので、ターンテーブル（３）上のディスク（３０）の取り出し、並びにターンテーブル（３）へのディスク（３０）の載置が容易となる。
【００３３】
又、上記本発明のディスクプレーヤにおいては、ドーム（８）を構成する一対のドーム半体（８１）（８２）がその両端部の稍下方位置にて枢支されているので、両ドーム半体（８１）（８２）は、開き動作の過程で、水平方向へ互いに離間しつつ下方へ移動して、ターンテーブル台（３２）上に広い空間を形成する。従って、両ドーム半体（８１）（８２）の開閉動作のために大きなスペースは不要であり、然も、開き動作のより早い時期にターンテーブル台（３２）の上昇を開始することが出来る。
この結果、ドーム半体（８１）（８２）の開き動作とターンテーブル台（３２）の上昇動作を同時に進めることの出来る期間が長くなって、ディスクの装填及び排出を短時間で完了することが可能となる。
【００３４】
更に、一対のドーム半体（８１）（８２）が開く過程で、例えば一方のドーム半体（８１）の開き動作を故意に妨害したとしても、図１５に示す如くスプリングレバー（７）のアーム（７１）が弾性変形して、第２スライド（５）の移動を許容するので、上述のドーム開閉機構や原動機構に無理な力が作用することはなく、機構の損傷が防止される。一対のドーム半体（８１）（８２）が閉じる過程で、故意にその閉じ動作を妨害した場合や、全開状態若しくは全閉状態の一対のドーム半体（８１）（８２）を、無理に閉じたり開いたりした場合も同様である。
【００３５】
本発明に係るディスクプレーヤ
本発明に係るディスクプレーヤは、図３〜図１７に示す前述のディスクプレーヤと基本的に同じ全体構成、テーブル昇降機構、ドーム開閉機構、原動機構、第１及び第２カム機構を具えているが、図１及び図２に示す如く、ドーム（８）を構成する一対のドーム半体（８１）（８２）が互いに異なる大きさを有している点が特徴となっている。
即ち、ドーム（８）は、大小２種類の弦形状を有する一対のドーム半体（８１）（８２）から構成されており、この点を除いて他の構成は前述のディスクプレーヤと全く同じ構造を有している。
【００３６】
本発明に係るディスクプレーヤにおいて、図１の状態から図２の如く一対のドーム半体（８１）（８２）が開くと、外形の大きい方のドーム半体（８１）はディスク（３０）よりも上方へ突出するが、外形の小さい方のドーム半体（８２）は、ディスク（３０）の高さ位置よりも低い位置に全体が待避することになる。
従って、ターンテーブル上のディスク（３０）を取り出す際、大きい方のドーム半体（８１）が位置する方向を除く３方向（図２では前方向、後方向及び右方向）に取り出しが可能であり、ディスク（３０）を取り出す操作が容易となる。又、ディスク（３０）をターンテーブル上に設置する際も同様に操作が容易となる。
【図面の簡単な説明】
【図１】本発明に係るディスクプレーヤのドーム閉じ状態の斜視図である。
【図２】該ディスクプレーヤのドーム開き状態の斜視図である。
【図３】本発明の前提となるディスクプレーヤのドーム閉じ状態の斜視図である。
【図４】該ディスクプレーヤのドーム開き状態の斜視図である。
【図５】該ディスクプレーヤのドーム閉じ状態の正面図である。
【図６】該ディスクプレーヤのドーム開き状態の正面図である。
【図７】該ディスクプレーヤのドーム閉じ状態の一部破断斜視図である。
【図８】該ディスクプレーヤのドーム開き状態の一部破断斜視図である。
【図９】該ディスクプレーヤの上半部の分解斜視図である。
【図１０】該ディスクプレーヤの下半部の分解斜視図である。
【図１１】ドーム閉じ状態のディスクプレーヤを裏面側から見た斜視図である。
【図１２】ドーム開き状態のディスクプレーヤを裏面側から見た斜視図である。
【図１３】ドーム閉じ状態のドーム開閉機構の斜視図である。
【図１４】ドーム開き状態のドーム開閉機構の斜視図である。
【図１５】ドーム開き動作を妨害したときの動作を示す斜視図である。
【図１６】自由状態のスプリングレバーの斜視図である。
【図１７】組立状態のスプリングレバーの斜視図である。
【符号の説明】
（１）　メインシャーシ
（２）　サブシャーシ
（３）　ターンテーブル
（３０）　ディスク
（３１）　ディスクモータ
（３２）　ターンテーブル台
（３５）　光ピックアップ
（４）　カムギア
（４１）　ローディングモータ
（４２）　第１カム溝
（４３）　第２カム溝
（６）　第１スライド
（６０）　第１カムフォロワー
（５）　第２スライド
（５１）　第２カムフォロワー
（７）　スプリングレバー
（８）　ドーム
（８１）　ドーム半体
（８２）　ドーム半体
（８３）　開閉レバー
（８４）　開閉レバー
【図１】
2004094985.tif 000003
【図２】
2004094985.tif 000004
【図３】
2004094985.tif 000005
【図４】
2004094985.tif 000006
【図５】
2004094985.tif 000007
【図６】
2004094985.tif 000008
【図７】
2004094985.tif 000009
【図８】
2004094985.tif 000010
【図９】
2004094985.tif 000011
【図１０】
2004094985.tif 000012
【図１１】
2004094985.tif 000013
【図１２】
2004094985.tif 000014
【図１３】
2004094985.tif 000015
【図１４】
2004094985.tif 000016
【図１５】
2004094985.tif 000017
【図１６】
2004094985.tif 000018
【図１７】
2004094985.tif 000019